(57)【要約】【課題】うつ伏せ時に顔を真下にしても、呼吸が楽にでき、頚部や顔面部の負担が少ない。また仰向けや横向きに横たわったときも容易に使用でき、多様な使い方ができる。【解決手段】腕部の開閉で顔面部形状に合わせ負担を減らし、空気孔を腕部の側面、脚部により真下に設けた。また、枕の頭部、胸部、腹部をつなげ、段差をなくし、移動、取り扱いを簡単にした。【選択図】図１
2008099941.tif 000002
【特許請求の範囲】
【請求項１】
使用者がうつ伏せに寝たときに腕部を開閉することにより、使用者の顔面の形状に合わせて、楽な位置、角度に調整し、固定できる複数腕部が付いた枕。
【請求項２】
使用者がうつ伏せに寝た時、呼吸をしやすいように、空気孔を２股の長い腕部で構成した空間のある請求項１記載の枕。
【請求項３】
使用者がうつ伏せに寝た時、枕本体の中央部に空気孔があり、顔面周縁部を受ける枕本体の孔の周縁部が弾性素材で構成され、枕の全長が頭部から腹部に達する長さの請求項１記載の枕
【請求項４】
腹部に、圧を加えるための厚みのある移動可能な腹枕が、枕本体に付属する請求項１記載の枕。
【請求項５】
枕の左右腕側面に、外側から内側に貫通する空気孔がある請求項１記載の枕。
【請求項６】
枕の左右腕部にボタンなど接着可能なものを付属し、左右腕部を接着させ、固定し、空気孔の大きさを顔面の形状により調整する請求項１記載の枕。
【請求項７】
使用者が仰向けに寝た時の使用において、枕腕部を自由な角度に開き、その間に使用者の上体を入れ、頭部、頚部を枕本体に寝かせ、上腕を枕の腕部に置く事で、２股の枕腕部で下から肩部を包み込み、腕部で体を包み込み、後ろから抱擁される形になる請求項１記載の枕。
【請求項８】
弾力性のある素材で、腕で抱きしめる事のできるサイズの抱き枕として使用でき、睡眠時でも、手軽に動かせる重量の、複数の腕部分を交差させるなどして変形させ，枕として使うことも出来るし、抱き枕のように脚にも絡ませることが出来る請求項１記載の枕。
【請求項９】
弾力性のある表面に温熱シートを装備し、その上に無機質なスレートなどを埋め込まれた、請求項１記載の枕。
【請求項１０】
弾力性のある表面の内側が空洞で空気の出し入れにより、マッサージ効果のある請求項１記載の枕。
【請求項１１】
微弱電流、高電圧などの電流や音波、光を発するシート、器具の付随したマッサージ、温熱効果のある請求項１記載の枕。
【請求項１２】
椅子型のマッサージ機にあるローラーや振動する装置を埋め込んだマッサージ効果のある請求項１記載の枕。
【請求項１３】
表面に動物や人間などの生き物を模倣し、胴体に複数の手足をつけた枕でズボンや、シャツの部分に着せ替えのできる玩具としても使える請求項１記載の枕。
【発明の詳細な説明】
【技術分野】
【０００１】
本発明は、医療、介護、姿勢矯正、リラクセイション、または家庭用の下向き、即ち、うつ伏せして療養する際の枕で頭部、腹部、胸部が一体であり、高さが水平であるために、顔面部の圧を軽減できる枕。また、仰向けに寝ても、頭部、胸郭を本発明枕の胴体と腕部で持ち上げ、使用者の上体を屈曲させる事で、胸椎の生理的湾曲（後湾）を保ち、腹部に負荷を加える枕に関するものである。
【背景技術】
【０００２】
従来の枕や抱き枕は仰向けや横向きに寝るには適しているがうつ伏せに寝る事には適してなかった。全長の長い抱き枕は手足を絡める形状であるが、枕に顔面を沈め、快適に呼吸できる様な空気孔を有していない。
【０００３】
病院や、治療院においては、うつ伏せの際、バストマット（胸の下に敷くもの）空気孔のあるうつ伏せ用枕、骨盤の下に敷くマットなど、特開２００４-８９６９７号公報のように、3つの分離したマットを使用する。個々のマットを並べて使用している。しかし、頭部、胸部、腰部と分離されており、睡眠時には、寝返りなどのために、3つのパートは分散され、再びうつ伏せになるのには手間が掛かり、長時間の使用は困難である。
また、家庭内において、素人がリラックスして、寝具の一部として、使用するのには難しい。
【０００４】
特開２００２−１４２９４６号公報のように病院、治療院には、有孔ベット（寝台の頭部に穴の開いたもの）がある。携帯用もあるが、持ち運びが困難で、簡易性がない。特開２００５−３４４８７号公報では簡易性はあるが、寝返りに対応するための形状ではない。
【０００５】
特開平１０−１１７９０５号公報のようにバスマットがない頭部のみのうつ伏せ枕では、うつ伏せ時に頭部だけ、上に高く位置し、首から下の身体とギャップが生まれ、首に過剰な負担がかかり快適でない。
特開２００６−５５３８３号公報では、うつ伏せ時に胸部は持ち上がり、首への負担は減るが、腰部の反り過ぎによる負担が起こる。
【０００６】
【特許文献１】特開２００４-８９６９７号公報
【特許文献２】特開２００２−１４２９４６号公報
【特許文献３】特開２００５−３４４８７号公報
【特許文献４】特開平１０−１１７９０５号公報
【特許文献５】特開２００６−５５３８３号公報
【発明の開示】
【発明が解決しようとする課題】
【０００７】
解決しようとする問題点は、上記に示した従来のうつ伏せ枕は頭部が高い位置にあり、段差をつくり、頭部が胸部より高く持ち上がり顔面部、頚部などに負担が掛かっていた。
【０００８】
また、頭部、胸部、腰部と３つの分離したパーツで作られた枕、やブレスマットは手軽に身体に負担がなく移動、使用可能でなく、使用者にとって使い勝手の良いものではなかった。本発明は睡眠時でも、他人が準備、介助を必要とせず、容易に一人でうつ伏せ、仰向け、抱き枕など、手間を取らない家庭内でも容易に使える枕である。
【課題を解決するための手段】
【０００９】
十分な空気孔を確保するために、２股の枕腕部を長くし、胸部の位置まで空気孔は達する長さである。枕腕部の側面部にも中央の空気孔と側面部を貫通する複数の空気孔を有する。枕腕部下部には、複数の脚を設け、枕腕部の弾性素材の沈みを防ぎ、複数の脚間にまた空間が生まれる。このぐらいの空間を確保しなければ、快適な呼吸はできない。
【００１０】
顔面部にかかる重力による圧と枕部の摩擦による不快感を軽減するために、使用者の顔の形状、大きさにより、二股腕部を開閉し調整できる。二股腕部は上部トップにあるボタンまたは粘着素材で、閉じ固定する事ができ、使用者の快適さにより額を支える事もできる。
【００１１】
うつ伏せに横になった時の頭部、胸部、腹部、骨盤部の前面を床面と平行に保つために、腰部位以上の長さにする。また使用者によっては、腰部、腹部を高くしたほうが快適な人が多いため、上下にスライドする腹部枕を有する。
【００１２】
枕骨組みに弾性素材を使用し、柔らかさや、気持ちよさを表現し、移動や変形に耐え、睡眠時の抱き枕、うつ伏せ枕、仰向け枕としても使用に耐える柔軟性を備える。
【００１３】
医療用として、うつ伏せ状態が長時間必要な場合、枕骨組み弾性素材を硬めにする事により、安定性を保つ。
【００１４】
姿勢矯正として使用する場合、腹枕を上下にスライドさせ、猫背、腰部のそりすぎに対応した、うつ伏せ姿勢を実現できる。
【００１５】
うつ伏せ時、使用者額部を額枕に置き、頭部を安定させる。
【００１６】
仰向けで、使用する場合は、うつ伏せ時の使用時と逆で、枕腕部を脚の方に向け、枕胴体部に頭を位置し、両腕部を開く事で、両腕の間に身体を沈め、頭部首部は枕胴体部に置く。使用者の両腕と両肩は左右枕腕部に置き、包み込まれる感覚がある。仰向けに横になることで、胸椎部を丸くし、平背、後湾の背骨の矯正に使用する。
【発明の効果】
【００１７】
また仰向け時、額枕を頚部に、腹枕を頭部下におき、安定させる。
【００１８】
本発明の枕は、移動が容易であり、寝返りにより、うつ伏せ、仰向け、抱き枕としても、使用できる。
【００１９】
医療、治療、エステとして使用するときは、弾性素材を固めにし安定を追及することで、長期間のうつ伏せ使用に適する。
【００２０】
うつ伏せ時に、腹枕を腹部、または腰部の下に位置することで、腰椎の反り過ぎによる腰部の負担を軽減させることができる。
【００２１】
仰向けに寝たときに、頚椎、胸椎の生理的カーブのない人、平背の人を枕腕部により肩、腕を包み込み、上部胸椎の生理的カーブに近い位置で、休養することができる。
【発明を実施するための最良の形態】
【００２２】
うつ伏せ時に、頭部、胸部、腰部の段差を最小限にし、必要に応じて腹枕を移動させ、使用者が快適な位置で横たわる。２つの腕部でできる空気孔は使用者の顔の形成、サイズにより幅が調整できる。また、枕腕部の上部内側にある接着部（ボタン）を閉じることにより、安定させ、額枕により額部を支える。
【００２３】
仰向けに寝たとき、枕腕部は開閉でき、使用者の腕部、肩部は枕腕部に乗せ、丸く包み込む構造であり、枕腕部の開閉する角度を変えることにより、使用者に適した位置に調整できる。仰向けで本発明の枕を横にし、通常の枕としても使用できる素材と高さである。
【００２４】
横向きに寝たとき、枕腕部は開閉、交差により変形でき、枕の腕部のひとつを枕として使用することもできる。また、枕左右腕部を交差させ、使用することもできる。
【実施例１】
【００２５】
図１８に示す実施例では、うつ伏せで使用者が横たわった際、１の腕部を開閉し、使用者の快適な位置で顔を設置することができる。空気孔を腕部側面に備え、左右腕部により作られた７の空気孔ともに十分なスペースを作り、息苦しさを防ぐ。図２０に示す実施例では、左右腕部にある６の接着部を閉じることで安定感を増す。４の額枕で、額を安定することで、顔面部の圧迫を防ぐ効果がある。
【実施例２】
【００２６】
図１９に示す実施例では、仰向けで使用者が横たわった際、１の左右腕部を開き、使用者の頭部、頚部は２の枕胴体に位置し、使用者の肩や腕は１の枕腕部に位置する。この効果により使用者の上半身はは包みこまれる気持ちよい感覚を味わえる。平背や頚椎の矯正には最適である。４の額枕で頚椎をサポートし、３の腹枕で、頭部を安定させる。
【実施例３】
【００２７】
図２１に示す実施例では、使用者が横向きで抱き枕として使用した際、本発明枕の側面部を下にして、使用でき、使用者の快適さにより、腕部の一つを枕として使用することもでき、左右腕部を交差させた状態でも枕として使用できる。
また、家庭用は軽量なため、手軽に移動でき、睡眠中にも図２０のように、通常の枕としても使用できる。うつ伏せ枕、抱き枕、仰向け枕としても簡単に使用できる枕である。
【実施例４】
【００２８】
図１２示す実施例では、微弱電流や高電圧、高周波を発するシートを枕の弾性素材に埋め込む。従来のものは背中、臀部などの身体背面部に仰向けになることで、刺激を与えた。しかしこの枕はうつ伏せ時に呼吸が快適で楽であるため、腹部、顔面部、胸部にもマッサージ効果をもたらす。
【実施例５】
【００２９】
図１３で示す実施例では、岩盤や、ゲルマニュームなどの無機質なスレートが弾性素材に埋め込まれ、その下に温熱効果のある器具がおかれスレートを熱する。従来の岩盤浴やサウナとではうつ伏せに寝たときには、顔を真横ではなく、真下に位置でき、うつ伏せ時でも快適な呼吸ができる。顔面部、胸部、腹部、にもマッサージ効果をもたらす。
【実施例６】
【００３０】
図１４で示す実施例では、ローラーなどのマッサージ機能を本発明枕に装備し、うつ伏せ時、仰向け時、横向け時でも、寝ながら受けることができ、うつ伏せ時には、腹部、顔面部、胸部にもマッサージ効果をもたらす。
【実施例７】
【００３１】
図１５で示す実施例では、２つの本発明枕の胴体部を結合させた形の抱き枕となります。１の腕部が上下にあり、うつ伏せから仰向けに、使用者が根が言っても枕本体を上下逆にひっくり返す必要がなく、図１８や図１９の使用法に簡単に移行できます。また上の１ａと１ｂの腕部はうつ伏せ時に、空気穴を作りますが下の１ｄと１ｃの腕部は使用者の脚を絡ませることが出来ます。腕部は弾性素材でできているため、図１１のように下の腕部を交差させ安定する位置で、脚をからめることふができます。
【実施例８】
【００３２】
図１７で示す実施例では、本発明枕を人間や動物に模倣し、目や口や尾などをつけ、服等の着せ替えができる枕である。子供の玩具としても使用でき、図１８，１９，２０，２１，２２のような使用法ができ、子供の医療用、姿勢矯正としても、師王すれば、子供に愛着を持ち使用できます。
【実施例９】
【００３３】
図２２で実施例では、うつ伏せ時、仰向け時に１１の第２の腕に使用者の腕や手を置く事ができ、使用者の上体だけでなく、手や腕にも、柔らかい弾性の包まれる感覚が伝わる。
【産業上の利用可能性】
【００３４】
複数の腕部を調整することにより、十分な空気孔を保ち快適にうつ伏せに、なることができる枕で、医療や代替医療な土で使用でき、多様なマッサージの機械としても使用できる枕であう。また家庭用としても、多様な寝方に多用でき、複数腕部が作り出す形状により、玩具としても使用できる。
【図面の簡単な説明】
【００３５】
【図１】本発明に係る枕の全体斜視図である。
【図２】本発明に係る枕の平面図である。
【図３】本発明に係る枕の低面図である。
【図４】本発明に係る枕の側面図である。
【図５】本発明に係る枕の正面図である。
【図６】本発明に係る枕の背面図である。
【図７】本発明に係る枕の
【図４】の側面図にあるA―A線の断面図である。
【図８】本発明に係る枕の腕部開らいた時の平面図である。
【図９】本発明に係る枕の腕部を開いたときの全体斜視図である。
【図１０】本発明に係る枕の腕部をボタンなどで接着した状態の全体斜視図で  る。
【図１１】本発明に係る枕の腕部を交差させた状態の全体斜視図である。
【図１２】本発明に係る枕に微弱電流や高電圧などの電流または電波を発するシートを装着した全体斜面図である。
【図１３】本発明に係る枕に温熱を発する装置を装備し、その上に岩盤やゲルマニュームなどの自然素材を取り付けた全体斜面図である。
【図１４】本発明の係る枕に電気マッサージのローラーが装備された全体斜面図である。
【図１５】本発明の係る枕にマッサージのためのエアーマットが装備され、電気のエアーコンプレッサーがチューブで接続されている全体斜面図である。
【図１６】本発明の係る枕を2個つなげ、頭部から脚部まで届く長さの本発明の抱き枕で、上下どちらでも使用できるようにした抱き枕の全体斜面図である。
【図１７】本発明の係る枕に動物や人間を模倣し、ズボンやシャツなどの衣服を本発明枕に装着させた枕の全体斜面図である。
【図１８】本発明に係る枕をうつ伏せの使用状態を示す参考図である。
【図１９】本発明に係る枕の腕部を開いて上向きの使用状態を示す参考図である。
【図２０】本発明に係る枕を通常の枕のように上向きの使用状態を示す参考図である。
【図２１】本発明に係る枕を使用者の右を下にして横向きで使用状態示す参考図である。
【図２２】本発明に係る枕に使用者をうつ伏せにして、中央の腕部に顔を沈め、第２の腕部に、手を置いた使用状態を示す参考図である。
【符号の説明】
【００３６】
１    腕部
２    胴体部
３    腹枕部
４    額枕部
５    上脚部
６    下脚部
７    空気孔
８    ストライプ（腹枕部）
９    ストライプ（額枕部）
１０  接着部（ボタン）
１１  第２の腕部
【図１】
2008099941.tif 000003
【図２】
2008099941.tif 000004
【図３】
2008099941.tif 000005
【図４】
2008099941.tif 000006
【図５】
2008099941.tif 000007
【図６】
2008099941.tif 000008
【図７】
2008099941.tif 000009
【図８】
2008099941.tif 000010
【図９】
2008099941.tif 000011
【図１０】
2008099941.tif 000012
【図１１】
2008099941.tif 000013
【図１２】
2008099941.tif 000014
【図１３】
2008099941.tif 000015
【図１４】
2008099941.tif 000016
【図１５】
2008099941.tif 000017
【図１６】
2008099941.tif 000018
【図１７】
2008099941.tif 000019
【図１８】
2008099941.tif 000020
【図１９】
2008099941.tif 000021
【図２０】
2008099941.tif 000022
【図２１】
2008099941.tif 000023
【図２２】
2008099941.tif 000024
【手続補正書】
【提出日】平成18年11月9日(2006.11.9)
【手続補正１】
【補正対象書類名】明細書
【補正対象項目名】００３５
【補正方法】変更
【補正の内容】
【００３５】
【図１】本発明に係る枕の全体斜視図である。
【図２】本発明に係る枕の平面図である。
【図３】本発明に係る枕の低面図である。
【図４】本発明に係る枕の側面図である。
【図５】本発明に係る枕の正面図である。
【図６】本発明に係る枕の背面図である。
【図７】本発明に係る枕の側面図にあるA―A線の断面図である。
【図８】本発明に係る枕の腕部開らいた時の平面図である。
【図９】本発明に係る枕の腕部を開いたときの全体斜視図である。
【図１０】本発明に係る枕の腕部をボタンなどで接着した状態の全体斜視図で  る。
【図１１】本発明に係る枕の腕部を交差させた状態の全体斜視図である。
【図１２】本発明に係る枕に微弱電流や高電圧などの電流または電波を発するシートを装着した全体斜面図である。
【図１３】本発明に係る枕に温熱を発する装置を装備し、その上に岩盤やゲルマニュームなどの自然素材を取り付けた全体斜面図である。
【図１４】本発明の係る枕に電気マッサージのローラーが装備された全体斜面図である。
【図１５】本発明の係る枕にマッサージのためのエアーマットが装備され、電気のエアーコンプレッサーがチューブで接続されている全体斜面図である。
【図１６】本発明の係る枕を2個つなげ、頭部から脚部まで届く長さの本発明の抱き枕で、上下どちらでも使用できるようにした抱き枕の全体斜面図である。
【図１７】本発明の係る枕に動物や人間を模倣し、ズボンやシャツなどの衣服を本発明枕に装着させた枕の全体斜面図である。
【図１８】本発明に係る枕をうつ伏せの使用状態を示す参考図である。
【図１９】本発明に係る枕の腕部を開いて上向きの使用状態を示す参考図である。
【図２０】本発明に係る枕を通常の枕のように上向きの使用状態を示す参考図である。
【図２１】本発明に係る枕を使用者の右を下にして横向きで使用状態示す参考図である。
【図２２】本発明に係る枕に使用者をうつ伏せにして、中央の腕部に顔を沈め、第２の腕部に、手を置いた使用状態を示す参考図である。
【手続補正２】
【補正対象書類名】明細書
【補正対象項目名】００３２
【補正方法】変更
【補正の内容】
【００３２】
図１７で示す実施例では、本発明枕を人間や動物に模倣し、目や口や尾などをつけ、服等の着せ替えができる枕である。子供の玩具としても使用でき、図１８，１９，２０，２１，２２のような使用法ができ、子供の医療用、姿勢矯正としても、子供が愛着を持もって使用できます。
【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
使用者がうつ伏せに寝たときに腕部を開閉つることにより、使用者の顔面の形状に合わせて、楽な位置、角度に調整し、顔面周縁部を受ける枕本体の孔の周縁部が弾性素材で構成され、複数腕部が付いた枕。
【請求項２】
使用者がうつ伏せに寝た時、呼吸をしやすいように、空気孔を２股の長い腕部で構成した空間があり、枕の全長が頭部から下腹部より下に達する長さののある請求項１記載の枕。
【請求項３】
枕の左右腕側面に外側から内側に貫通する空気孔がある請求項１記載の枕。
【請求項４】
枕の左右腕部の内側にボタンなど接着可能なものを付属し、左右腕部を接着させ、固定し、空気孔の大きさを顔面の形状により調整する請求項１記載の枕。
【請求項５】
使用者が仰向けに寝た時の使用において、枕腕部を自由な角度に開き、その間に使用者の上体を入れ、頭部、頚部を枕本体に位置し、上腕を枕の腕部に置く事で、２股の枕腕部で下から肩部を包み込み、腹部を屈曲させ、圧を加える請求項１記載の枕。
【請求項６】
弾力性のある表面に温熱シートを装備し、岩盤や石、木などの自然素材が埋め込まれ、微弱電流、高電圧などの電流や音波、光を発するシートや器具を付随し、その表面の内側が空洞で空気の出し入れにより、マッサージ効果のある請求項１記載の枕。
【請求項７】
表面に動物や人間などの生き物を模倣し、胴体に複数の手足をつけた枕でズボンや、シャツの部分に着せ替えのできる玩具としても使える請求項１記載の枕。
【手続補正２】
【補正対象書類名】明細書
【補正対象項目名】００２６
【補正方法】変更
【補正の内容】
【００２６】
図１９に示す実施例では、仰向けで使用者が横たわった際、１の左右腕部を開き、使用者の頭部、頚部は２の枕胴体に位置し、使用者の肩や腕は１の枕腕部に位置する。この効果により使用者の上半身はは包みこまれる気持ちよい感覚を味わえる。平背や頚椎の矯正には最適である。４の額枕で頚椎をサポートし、３の腹枕で、頭部を安定させる。
また、仰向け時、２つの本発明枕を利用し、１の腕部同士を上下に接合し、腕部を開くことで、菱形の空間を作り、そこに人体の臀部、腰部を入れ、仰向けに寝ることで、人体の頭が一方の枕の胴体部を枕として使い、人体の脚を他方の胴体部に置き、足枕として使い、全身を包み込まれるように、気持ち良く仰向けに寝ることができる。